(57)【要約】【課題】本発明は、Ｎ−ライン反転方式で駆動される液晶表示装置で特定ライン間のデータ信号充電量の差によってライン形態の薄い領域が発生する現象を改善する。【解決手段】本発明は液晶表示装置に係り、さらに詳細には奇数／偶数番目水平ラインをＮ個ずつ交番駆動するＮライン反転方式液晶表示装置で、特定ライン間にライン形態の薄い領域が発生する現象を改善した液晶表示装置及びこれの駆動方法に関する。本発明の実施形態によれば、Ｎ−ライン反転駆動液晶表示装置で、先フレームで水平ライン画素の充電順序と、後フレームで水平ライン画素の充電順序を交番させることによって、Ｎ−ライン反転時発生する水平ディム現象を改善することができる。【選択図】図４
2008158529.tif 000002
【特許請求の範囲】
【請求項１】
奇数／偶数番目水平ラインをＮ（Ｎは自然数）個ずつ交番駆動するＮ−ライン反転駆動方式の液晶表示装置において、
複数の画素を含む液晶パネルと；
前記複数の画素にゲート駆動信号とデータ信号を供給するゲート及びデータドライバと；
外部システムから制御信号及び映像信号を供給を受けて、前記制御信号に対応して前記ゲート及びデータドライバを制御し、前記映像信号を一フレーム単位で順序を変えて前記データドライバに供給するタイミングコントローラと；
前記タイミングコントローラと連結されて、前記映像信号を一フレーム単位で保存するフレームメモリー部と；
前記液晶パネルに共通電圧を供給する共通電圧部とを含むことを特徴とする液晶表示装置。
【請求項２】
前記フレームメモリー部はＭ（Ｍは自然数）番目フレームに対応する映像信号と（Ｍ＋１）番目フレームに対応する映像信号をそれぞれ保存する第１及び第２フレームメモリーを含むことを特徴とする請求項１に記載の液晶表示装置。
【請求項３】
前記Ｍ番目フレームから前記データドライバに供給される前記映像信号の順序は前記（Ｍ＋１）番目フレームから前記データドライバに供給される前記映像信号の順序と反対であることを特徴とする請求項２に記載の液晶表示装置。
【請求項４】
前記奇数／偶数番目水平ラインは２個ずつ交番駆動することを特徴とする請求項１に記載の液晶表示装置。
【請求項５】
Ｍ（Ｍは自然数）番目フレームから前記データドライバに供給される前記映像信号の順序はｋ（ｋは自然数）番目、（ｋ＋２）番目、（ｋ＋１）番目そして（ｋ＋３）番目水平ラインに対応して、（Ｍ＋１）番目フレームから前記データドライバに供給される前記映像信号の順序は（ｋ＋３）番目、（ｋ＋１）番目、（ｋ＋２）番目そしてｋ番目水平ラインに対応することを特徴とする請求項４に記載の液晶表示装置。
【請求項６】
複数の画素を具備する液晶パネルと、前記複数の画素を制御するゲート及びデータドライバと；前記ゲート及びデータドライバを制御して映像信号を一フレーム単位で順序を変えて前記データドライバに供給するタイミングコントローラと、前記映像信号を一フレーム単位で保存するフレームメモリー部を含んで、奇数／偶数番目水平ラインをＮ（Ｎは自然数）個ずつ交番駆動するＮ−ライン反転駆動方式の液晶表示装置の駆動方法において、
前記フレームメモリー部の第１フレームメモリーにＭ（Ｍは自然数）番目フレームの映像信号を保存する段階と；
前記Ｍ番目フレームの映像信号を一定順序によって前記データドライバに供給する段階と；
前記フレームメモリー部の第２フレームメモリーに（Ｍ＋１）番目フレームの映像信号を保存する段階と；
前記（Ｍ＋１）番目フレームの映像信号を前記Ｍ番目フレームの映像信号と他の順序によって前記データドライバに供給する段階とを含むことを特徴とする液晶表示装置の駆動方法。
【請求項７】
前記Ｍ番目フレームの映像信号はＮ個の奇数番目水平ラインとＮ個の偶数番目水平ラインに対応する順序によって前記データドライバに供給されて、前記（Ｍ＋１）番目フレームの映像信号はＮ個の偶数番目水平ラインとＮ個の奇数番目水平ラインに対応する順序によって前記データドライバに供給されることを特徴とする請求項６に記載の液晶表示装置の駆動方法。
【請求項８】
前記Ｍ番目フレームから前記データドライバに供給される前記映像信号の順序は前記（Ｍ＋１）番目フレームから前記データドライバに供給される前記映像信号の順序と反対であることを特徴とする請求項６に記載の液晶表示装置の駆動方法。
【請求項９】
前記期／偶数番目水平ラインは２個ずつ交番駆動することを特徴とする請求項６に記載の液晶表示装置の駆動方法。
【請求項１０】
前記Ｍ番目フレームの映像信号を前記データドライバに供給する段階は前記映像信号をｋ（ｋは自然数）番目、（ｋ＋２）番目、（ｋ＋１）番目そして（ｋ＋３）番目水平ラインに対応する順序によって供給して、前記（Ｍ＋１）番目フレームの映像信号を前記データドライバに供給する段階は前記映像信号を（ｋ＋３）番目、（ｋ＋１）番目、（ｋ＋２）番目そしてｋ番目水平ラインに対応する順序によって供給することを特徴とする請求項９に記載の液晶表示装置の駆動方法。
【請求項１１】
前記Ｍ番目フレームで、前記ｋ番目と（ｋ＋２）番目水平ラインに対応する前記映像信号は第１極性を有し、前記（ｋ＋１）番目と（ｋ＋３）番目水平ラインに対応する前記映像信号は前記第１極性と反対である第２極性を有することを特徴とする請求項１０に記載の液晶表示装置の駆動方法。
【請求項１２】
前記（Ｍ＋１）番目フレームで、前記（ｋ＋３）番目と（ｋ＋１）番目水平ラインに対応する前記映像信号は前記第１極性を有し、前記（ｋ＋２）番目とｋ番目水平ラインに対応する前記映像信号は前記第２極性を有することを特徴とする請求項１１に記載の液晶表示装置の駆動方法。
【発明の詳細な説明】
【技術分野】
【０００１】
本発明は液晶表示装置に係り、さらに詳細には奇数／偶数番目水平ラインをＮ個ずつ交番駆動するＮ−ライン反転方式液晶表示装置で、特定ライン間にライン形態の薄い領域が発生する現象を改善したＮ−ライン反転方式液晶表示装置及びその駆動方法に関する。
【背景技術】
【０００２】
現在の液晶表示装置の分野では能動型液晶表示装置（Ａｃｔｉｖｅ  Ｍａｔｒｉｘ  Ｌｉｑｕｉｄ  Ｃｒｙｓｔａｌ  Ｄｉｓｐｌａｙ）が主流となっているが、この能動型液晶表示装置では薄膜トランジスタ（Ｔｈｉｎ  Ｆｉｌｍ  Ｔｒａｎｓｉｓｔｏｒ、以下ＴＦＴ）一つが１個の画素に対応して、この一つのＴＦＴがスイッチング素子で画素の電圧レベルを制御して画素の光透過率を変化させて映像を表示する。
【０００３】
以下、図１を参照して一般的な能動型液晶表示装置の構成を説明すると下記のようである。
【０００４】
図１は一般的な能動型液晶表示装置の構成を概略的に示したブロック図で、画像を表示する液晶パネル１及びこれを駆動する駆動回路２、４と、この駆動回路２、４を制御するタイミングコントローラ６と、前記液晶パネル１に共通電圧を供給する共通電圧部８で構成されている。
【０００５】
液晶パネル１は複数個のゲートライン（ＧＬ１ないしＧＬｎ）とデータライン（ＤＬ１ないしＤＬｍ）が交差してマトリックス状に配置されてこの交差する地点に液晶セル（Ｃｌｃ）及びスイッチング素子であるＴＦＴが具備され、このそれぞれの交差地点は画素で定義される。また、前記液晶セル（ＣＬｃ）に電界を形成するための画素電極（図示せず）と共通電極（図示せず）が用意される。前記ＴＦＴはゲートライン（ＧＬ１ないしＧＬｎ）から入力されるゲート駆動信号に対応して画素電極とデータラインを電気的に連結する。
【０００６】
駆動回路２、４はゲートライン（ＧＬ１ないしＧＬｎ）を駆動するためのゲートドライバ２と、データライン（ＤＬ１ないしＤＬｍ）を駆動するためのデータドライバ４で構成される。ここで、ゲートドライバ２は１フレーム間順次にゲートライン（ＧＬ１ないしＧＬｎ）にゲート駆動信号を供給することによって、液晶パネル１上の液晶セル（Ｃｌｃ）が一つの水平ラインずつ順次に駆動されるようになって、データドライバ４はゲート駆動信号が供給される時毎にデータライン（ＤＬ１ないしＤＬｍ）それぞれにデータ信号を供給して、前記画素電極を充電させる。
【０００７】
タイミングコントローラ６は前記ゲートドライバ２及びデータドライバ４を制御するための制御信号を生成する制御信号部（図示せず）と、入力される映像信号を液晶パネル１の駆動方法及び構造に合うように再配置するデータ処理部（図示せず）で構成されて、外部から入力される映像信号に対応してこれに好適な制御信号及び再配置されている映像信号を前記駆動回路に供給する。
【０００８】
共通電圧部８は前記画素電極のデータ信号に対する対向電圧である共通電圧（Ｖｃｏｍ）を発生して、液晶パネル１上の共通電極に供給する。
【０００９】
このような液晶表示装置はフレーム毎にデータ信号の位相を反転する反転（ｉｎｖｅｒｓｉｏｎ）駆動をするが、これは画素電極と共通電極に同じ極性の電圧差が持続すると、前記液晶パネルの画素電極と共通電極間の液晶が劣化されて映像がちらついたり暗くなる問題が生じるためである。
【００１０】
前記反転駆動方式の種類ではライン反転駆動方式、ドット反転駆動方式等がある。
【００１１】
ライン反転駆動方式が適用された液晶表示装置は、図２Ａに示したように１フレーム単位で信号線に印加される映像信号の位相が各ライン毎に反転されるように印加し、低電圧で駆動されて、共通電極に一つのラインのデータ伝送期間（１水平期間、１Ｈ）間隔で交流電圧を印加する方式であり、ライン単位で電圧の極性が反転されるようにする。
【００１２】
また、前記ドット反転駆動方式が適用された液晶表示装置は、図２Ｂに示したように、それぞれの画素に水平及び垂直方向に隣接した画素全てと相反した極性のデータ信号が供給されるようにしてフレーム毎にそのデータ信号の極性が反転されるようにする方式であり、データドライバから画素に供給されるデータ信号の極性が水平及び垂直方向に反転されなければならないことによって、前記ライン反転駆動方式に比べて画素電極に充電されるデータ信号の変動量が大きいため消費電力が大きくなる短所を有する。
【００１３】
最近、前記ライン反転駆動方式を応用して、奇数／偶数番目水平ラインをＮラインだけ交互に駆動して、データドライバの出力周波数を落として消費電力を減少させたＮ−ライン反転駆動方式が提案された。
【００１４】
図３はＮ−ライン反転駆動方式が適用された液晶表示装置のゲート駆動信号（ＶＧ）及びデータ信号（ＶＤＡＴＡ）の信号波形の一部を示した図面であって、ここではＮが２である２−ライン反転駆動方式の例を示した。
【００１５】
図示したように、先にＭ番目フレームに第１ないし第４ゲートライン（ＧＬ１ないしＧＬ４）を通じてゲート駆動信号（ＶＧ）が入力されるが、これの駆動順序は先に奇数番目水平ラインである第１、第３ゲートライン（ＧＬ１、ＧＬ３）が駆動されて、以後偶数番目水平ラインである第２、第４ゲートライン（ＧＬ２、ＧＬ４）が駆動されるようになる。
【００１６】
示さなかったが、以後にはこれと同じ方式で、第５、第７ゲートラインが駆動された後、第６、第８ゲートラインが駆動される。
【００１７】
図面を再び参照すると、従来の２−ライン反転駆動方式は、先に第１ゲートライン（ＧＬ１）にゲート駆動信号（ＶＧ）が入力されて、第１水平ライン画素の充電動作が行われて、以後第３ゲートライン（ＧＬ３）にゲート駆動信号（ＶＧ）が入力されると、第３水平ライン画素の充電動作が行われる時には、データドライバ（図示せず）は第１水平ライン画素と同じ（＋）電位で第３水平ライン画素の充電動作を行うため、前記データドライバ（図示せず）の出力周波数を低めるようになって、消費電力が減少される利得がある。
【００１８】
以後、第２、第４ゲートライン（ＧＬ２、ＧＬ４）に該当する水平ラインの画素を同じ（−）電位で充電するようになる。
【００１９】
しかし、図示したように、第３ゲートライン（ＧＬ３）に該当する画素は既に充電された（＋）電位状態から同一（＋）電位に充電されるため、この画素に充電されるデータ信号の充電量は信号遅延がほとんどなく充電されて図面のａ１部分に該当して、以後、第２ゲートライン（ＧＬ２）に該当する画素は（＋）電位状態から（−）電位に充電されるため、信号遅延によって画素に充電されるデータ信号の充電量は図面のｂ１部分に該当する。
【００２０】
このような、データ信号の充電量の差は、残りの水平ラインすなわち、第７ゲートラインと第６ゲートラインの画素間にも存在するようになって、また、以後の（Ｍ＋１）番目フレームでも同じである。
【００２１】
結局、上述したデータ信号充電量の持続的な差は特定ライン間にライン形態の薄い領域が発生する現象で観測者に認知されて、画質不良の原因になる。
【発明の開示】
【発明が解決しようとする課題】
【００２２】
本発明は前記の問題点を改善するために案出したものであって、Ｎ−ライン反転方式で駆動される液晶表示装置で特定ライン間のデータ信号充電量の差によってライン形態の薄い領域が発生する現象を改善することにその目的がある。
【課題を解決するための手段】
【００２３】
前記の目的を達成するために、本発明は奇数／偶数番目水平ラインをＮ（Ｎは自然数）個ずつ交番駆動するＮ−ライン反転駆動方式の液晶表示装置において、複数の画素を含む液晶パネルと；前記複数の画素にゲート駆動信号とデータ信号を供給するゲート及びデータドライバと；外部システムから制御信号及び映像信号の供給を受けて、前記制御信号に対応して前記ゲート及びデータドライバを制御し、前記映像信号を一フレーム単位で順序を変えて前記データドライバに供給するタイミングコントローラと；前記タイミングコントローラと連結されて、前記映像信号を一フレーム単位で保存するフレームメモリー部と；前記液晶パネルに共通電圧を供給する共通電圧部を含むことを特徴とする液晶表示装置を提供する。
【００２４】
前記フレームメモリー部はＭ（Ｍは自然数）番目フレームに対応する映像信号と（Ｍ＋１）番目フレームに対応する映像信号をそれぞれ保存する第１及び第２フレームメモリーを含むことを特徴とする。
【００２５】
前記奇数／偶数番目水平ラインは２個ずつ交番駆動することを特徴とする。
【００２６】
Ｍ（Ｍは自然数）番目フレームから前記データドライバに供給される前記映像信号の順序はｋ（ｋは自然数）番目、（ｋ＋２）番目、（ｋ＋１）番目そして（ｋ＋３）番目水平ラインに対応して、（Ｍ＋１）番目フレームから前記データドライバに供給される前記映像信号の順序は（ｋ＋３）番目、（ｋ＋１）番目、（ｋ＋２）番目そしてｋ番目水平ラインに対応することを特徴とする。
【００２７】
また、本発明は複数の画素を具備する液晶パネルと、前記複数の画素を制御するゲート及びデータドライバと；前記ゲート及びデータドライバを制御して映像信号を一フレーム単位で順序を変えて前記データドライバに供給するタイミングコントローラと、前記映像信号を一フレーム単位で保存するフレームメモリー部を含んで、奇数／偶数番目水平ラインをＮ（Ｎは自然数）個ずつ交番駆動するＮ−ライン反転駆動方式の液晶表示装置において、前記フレームメモリー部の第１フレームメモリーにＭ（Ｍは自然数）番目フレームの映像信号を保存する段階と；前記Ｍ番目フレームの映像信号を一定順序によって前記データドライバに供給する段階と；前記フレームメモリー部の第２フレームメモリーに（Ｍ＋１）番目フレームの映像信号を保存する段階と；前記（Ｍ＋１）番目フレームの映像信号を前記Ｍ番目フレームの映像信号と他の順序によって前記データドライバに供給する段階を含むことを特徴とする液晶表示装置の駆動方法を提供する。
【００２８】
前記Ｍ番目フレームの映像信号はＮ個の奇数番目水平ラインとＮ個の偶数番目水平ラインに対応する順序によって前記データドライバに供給されて、前記（Ｍ＋１）番目フレームの映像信号はＮ個の偶数番目水平ラインとＮ個の奇数番目水平ラインに対応する順序によって前記データドライバに供給されることを特徴とする。
【００２９】
前記Ｍ番目フレームから前記データドライバに供給される前記映像信号の順序は前記（Ｍ＋１）番目フレームから前記データドライバに供給される前記映像信号の順序と反対であることを特徴とする。
【００３０】
前記奇数／偶数番目水平ラインは２個ずつ交番駆動することを特徴とする。
【００３１】
前記Ｍ番目フレームの映像信号を前記データドライバに供給する段階は前記映像信号をｋ（ｋは自然数）番目、（ｋ＋２）番目、（ｋ＋１）番目そして（ｋ＋３）番目水平ラインに対応する順序によって供給して、前記（Ｍ＋１）番目フレームの映像信号を前記データドライバに供給する段階は前記映像信号を（ｋ＋３）番目、（ｋ＋１）番目、（ｋ＋２）番目そしてｋ番目水平ラインに対応する順序によって供給することを特徴とする。
【００３２】
前記Ｍ番目フレームで、前記ｋ番目と（ｋ＋２）番目水平ラインに対応する前記映像信号は第１極性を有し、前記（ｋ＋１）番目と（ｋ＋３）番目水平ラインに対応する前記映像信号は前記第１極性と反対である第２極性を有することを特徴とする。
【００３３】
前記（Ｍ＋１）番目フレームで、前記（ｋ＋３）番目と（ｋ＋１）番目水平ラインに対応する前記映像信号は前記第１極性を有し、前記（ｋ＋２）番目とｋ番目水平ラインに対応する前記映像信号は前記第２極性を有することを特徴とする。
【発明の効果】
【００３４】
したがって、本発明の実施形態による液晶表示装置及びそれの駆動方法は、Ｎ−ライン反転駆動液晶表示装置で、先フレームで水平ライン画素の充電順序と、後フレームで水平ライン画素の充電順序を交番させることによって、Ｎ−ライン反転時発生する水平ディム現象の改善効果がある。
【発明を実施するための最良の形態】
【００３５】
以下、図面を参照して本発明の実施形態による液晶表示装置及びこれの駆動方法を説明すると下記のようである。
【００３６】
以下の説明では２−ライン反転方式の液晶表示装置及びこれの駆動方法を説明しており、これはＮ−ライン反転方式の液晶表示装置には全て同じ方式で適用可能である。
【００３７】
図４は本発明の実施形態による液晶表示装置の構成を概略的に示したブロック図で、画像を表示する液晶パネル１００及びこれを駆動する駆動回路１０２、１０４と、この駆動回路１０２、１０４を制御するタイミングコントローラ１０６と、前記液晶パネル１００に共通電圧（Ｖｃｏｍ）を供給する共通電圧部１０８で構成されている。
【００３８】
液晶パネル１００は複数個のゲートライン（ＧＬ１ないしＧＬｎ）とデータライン（ＤＬ１ないしＤＬｍ）が交差してマトリックス状に配置されて、この交差する地点に液晶セル（Ｃｌｃ）及びスイッチング素子であるＴＦＴが具備され、このそれぞれの交差地点は画素で定義される。また、前記液晶セル（Ｃｌｃ）に電界を形成するための画素電極（図示せず）と共通電極（図示せず）が用意される。前記ＴＦＴはゲートライン（ＧＬ１ないしＧＬｎ）から入力されるゲート駆動信号に対応して画素電極とデータライン（ＤＬ１ないしＤＬｍ）を電気的に連結する。
【００３９】
駆動回路１０２、１０４はゲートライン（ＧＬ１ないしＧＬｎ）を駆動するためのゲートドライバ１０２と、データライン（ＤＬ１ないしＤＬｍ）を駆動するためのデータドライバ１０４で構成される。
【００４０】
さらに詳細には、ゲートドライバ１０２は１フレーム間順次にゲートライン（ＧＬ１ないしＧＬｎ）にゲート駆動信号を供給することによって、ゲート駆動信号が供給されるゲートライン（ＧＬ１ないしＧＬｎ）に電気的に連結されている画素のターンオン／オフ動作を制御するようになって、データドライバ１０４はゲート駆動信号が供給される時毎に該データライン（ＤＬ１ないしＤＬｍ）にデータ信号を供給して、前記ゲートドライバ１０２によりターンオンされた画素に電気的に連結されている画素電極を充電させる役割をする構造である。
【００４１】
この時、前記ゲートドライバ１０２は、先にＭ番目フレームでは、２−ライン反転駆動のためにゲート駆動信号を第１、第３、第２、第４ゲートライン（ＧＬ１、ＧＬ３、ＧＬ２、ＧＬ４）順に供給する。
【００４２】
以後、（Ｍ＋１）番目フレームでは、前記ゲート駆動信号を第４、第２、第３、第１ゲートライン（ＧＬ４、ＧＬ２、ＧＬ３、ＧＬ１）順に供給する。
【００４３】
タイミングコントローラ１０６は外部システム１０７から装置駆動に必要な制御信号を入力を受けて、これに対応してゲートドライバ１０２及びデータドライバ１０４を駆動するための制御信号を生成してこれを前記駆動回路１０２、１０４に供給する。
【００４４】
また、映像信号を入力を受けて、これをフレームメモリー部１１０に供給する。
【００４５】
前記フレームメモリー部１１０の構造に対して詳細に説明すると、少なくとも二つ以上の第１、第２フレームメモリー１１２、１１４を含み、この個数はＮ−ライン反転方式によってさらに多いことがある。
【００４６】
前記第１、第２フレームメモリー１１２、１１４はそれぞれ外部システム１０７から供給されたＭ番目フレームの映像信号と（Ｍ＋１）番目フレームの映像信号をそれぞれ臨時保存して、これを再びタイミングコントローラ１０６に再入力する。
【００４７】
前記タイミングコントローラ１０６は、先にＭ番目フレームでは、第１フレームメモリー１１２に保存されている映像信号を一水平ラインずつ順次にデータドライバ１０４に供給する。この時、本発明の液晶表示装置は２−ライン反転駆動であるので、第１、第３、第２、第４水平ラインのような順に映像信号を供給するようになる。
【００４８】
以後、（Ｍ＋１）番目フレームでは、第２フレームメモリー１１４に保存されている映像信号を一水平ラインずつ順次にデータドライバ１０４に供給する。この時、上述したゲート駆動信号とマッチングされるように第４、第２、第３、第１水平ラインのような順に映像信号を供給するようになる。
【００４９】
これにより、Ｍ番目フレーム及び（Ｍ＋１）番目フレームで第２、第３水平ラインに該当する画素がそれぞれ充電される順序が交番に変わるようになって、画素に充電される充電量の差が減少するようになる。
【００５０】
共通電圧部１０８は前記画素電極のデータ信号に対する対向電圧である共通電圧（Ｖｃｏｍ）を発生して、液晶パネル１００上の共通電極に供給するようになる。
【００５１】
図５は本発明の実施形態による液晶表示装置のゲート駆動信号（ＶＧ）及びデータ信号（ＶＤＡＴＡ）の信号波形の一部を示した図面である。
【００５２】
図示したように、先にＭ番目フレームに第１ないし第４ゲートライン（ＧＬ１ないしＧＬ４）を通じてゲート駆動信号（ＶＧ）が入力されるが、これの駆動順序は先に奇数番目水平ラインである第１、第３ゲートライン（ＧＬ１、ＧＬ３）が駆動されて、以後偶数番目水平ラインである第２、第４ゲートライン（ＧＬ２、ＧＬ４）が駆動されるようになる。
【００５３】
示さなかったが、以後にはこれと同じ方式で、第５、第７ゲートラインが駆動された後、第６、第８ゲートラインが駆動される形態で１フレーム間全ゲートラインを駆動する。
【００５４】
図面を再び参照すると、先にＭ番目フレームでは、第１ゲートライン（ＧＬ１）にゲート駆動信号（ＶＧ）が入力されて、第１水平ライン画素の充電動作が行われて、以後第３ゲートライン（ＧＬ３）にゲート駆動信号（ＶＧ）が入力されると、第３水平ライン画素の充電動作が行われる時には、データドライバ（図示せず）は第１水平ライン画素と同じ（＋）電位で第３水平ライン画素の充電動作を行うようになって、以後、第２、第４ゲートライン（ＧＬ２、ＧＬ４）に該当する水平ラインの画素を同じ（−）電位で充電するようになる。
【００５５】
ここで、第３ゲートライン（ＧＬ３）に該当する画素は既に充電された（＋）電位状態から同一（＋）電位に充電されるため、この画素に充電されるデータ信号の充電量は図面のｃ１部分に該当して、以後、第２ゲートライン（ＧＬ２）に該当する画素は（＋）電位状態から（−）電位に充電されるため、この画素に充電されるデータ信号の充電量は図面のｄ１部分に該当する。
【００５６】
以後、（Ｍ＋１）番目フレームでは、先に第４ゲートライン（ＧＬ４）にゲート駆動信号（ＶＧ）が入力されて、第４水平ライン画素の充電動作が行われて、以後第３ゲートライン（ＧＬ３）にゲート駆動信号（ＶＧ）が入力される。
【００５７】
ここで、第２ゲートライン（ＧＬ２）に該当する画素は既に充電された（＋）電位状態から同一（＋）電位に充電されるため、この画素に充電されるデータ信号の充電量は信号遅延がほとんどなく充電されて図面のｄ２部分に該当して、以後、第３ゲートライン（ＧＬ３）に該当する画素は（＋）電位状態から（−）電位に充電されるため、この画素に充電されるデータ信号の充電量は信号遅延によって図面のｃ２部分に該当する。
【００５８】
整理すれば、第２ゲートライン（ＧＬ２）に該当する画素は、Ｍ番目フレームでは既（＋）電位状態から（−）電位に充電されるためデータ信号の充電量（ｄ１）が小さくて、（Ｍ＋１）番目フレームでは既（＋）電位状態から（＋）電位に充電されるためデータ信号の充電量（ｄ２）が大きい。
【００５９】
第３ゲートライン（ＧＬ３）に該当する画素は、Ｍ番目フレームでは既（＋）電位状態から（＋）電位に充電されるためデータ信号の充電量（ｃ１）が大きくて、（Ｍ＋１）番目フレームでは既（＋）電位状態から（−）電位に充電されるためデータ信号の充電量（ｃ２）が小さい。
【００６０】
したがって、Ｍ及び（Ｍ＋１）番目フレームで第２ゲートライン（ＧＬ２）に該当する画素の充電量（ｄ１＋ｄ２）と、第３ゲートライン（ＧＬ３）に該当する画素の充電量（ｃ１＋ｃ２）がほとんど同じくマッチングされて、すなわち、（ｄ１＋ｄ２）≒（ｃ１＋ｃ２）になって、特定ライン間にライン形態の薄い領域が発生する現象が改善される。
【００６１】
前記では本発明の望ましい実施形態を参照しながら説明したが、該技術分野の熟練された当業者は特許請求範囲に記載された本発明の技術的思想及び領域から外れない範囲内で本発明を多様に修正及び変更させることができることを理解することができるものである。
【図面の簡単な説明】
【００６２】
【図１】一般的な能動形液晶表示装置の構成を概略的に示したブロック図である。
【図２Ａ】ライン反転駆動方式を説明するための図面である。
【図２Ｂ】ドット反転駆動方式を説明するための図面である。
【図３】Ｎ−ライン反転駆動方式が適用された液晶表示装置のゲート駆動信号（ＶＧ）及びデータ信号（ＶＤＡＴＡ）の信号波形の一部を示した図面である。
【図４】本発明の実施形態による液晶表示装置の構成を概略的に示したブロック図である。
【図５】本発明の実施形態による液晶表示装置のゲート駆動信号（ＶＧ）及びデータ信号（ＶＤＡＴＡ）の信号波形の一部を示した図面である。
【符号の説明】
【００６３】
１０７：外部システム
１００：液晶パネル
１０２：ゲートドライバ
１０４：データドライバ
１０６：タイミングコントローラ
１０８：共通電圧部
１１０：フレームメモリー部
【図１】
2008158529.tif 000003
【図２Ａ】
2008158529.tif 000004
【図２Ｂ】
2008158529.tif 000005
【図３】
2008158529.tif 000006
【図４】
2008158529.tif 000007
【図５】
2008158529.tif 000008